(57)【要約】      （修正有）【課題】簡単な構造によって、消火用ホースの引き出しの際に、消火用ホースがホース収納部から出てくる勢いを抑えることができる消火栓装置を提供する。【解決手段】筐体２内部のホース収納部５に消火用ホース４を内巻きに収納し、ホース収納部５に消火用ホース４が引き出される開口部５ａを有する消火栓装置１において、開口部５ａは、その開口縁５ｂが摩擦係数の高い材料で形成又は被覆されていることを特徴とする。【選択図】図１
2011212073.tif 000002
【特許請求の範囲】
【請求項１】
筐体内部のホース収納部に消火用ホースを内巻きに収納し、前記ホース収納部に前記消火用ホースが引き出される開口部を有する消火栓装置において、
前記開口部は、その開口縁が摩擦係数の高い材料で形成又は被覆されていることを特徴とする消火栓装置である。
【請求項２】
前記ホース収納部は、その少なくとも内面が摩擦係数の高い材料で形成又は被覆されていることを特徴とする請求項１に記載の消火栓装置。
【請求項３】
前記ホース収納部の内面は、前記開口部に向けて傾斜している傾斜面であって、前記開口部から前記消火用ホースが引き出される際、前記消火用ホースが接触される傾斜面を含んでいることを特徴とする請求項２記載の消火栓装置。
【請求項４】
前記摩擦係数の高い材料がゴムであることを特徴とする請求項１乃至３の何れかに記載の消火栓装置。
【請求項５】
前記ゴムは、シリコンゴム、ネオプレンゴム、ブチルゴム系、ニトリルゴム系、ウレタンエラストマー、天然ゴム又はフッ素ゴムであることを特徴とする請求項４に記載の消火栓装置。
【発明の詳細な説明】
【技術分野】
【０００１】
この発明は、消火栓装置に関し、より詳細には消火用ホースが装置内に内巻きに収納される消火栓装置に関する。
【背景技術】
【０００２】
例えば、トンネル等に設置される消火栓装置は、先端にノズルを有する消火用ホースを備えているが、一般に、消火用ホースは、常時は装置内部に巻き付けられた状態で収納されており、火災時に装置外部に引き出されて消火に用いられるようになっている。
【０００３】
この種の消火栓装置において、消火用ホースが装置内部に内巻きに巻き付けられて収納される所謂内巻き式の消火栓装置がある。
【０００４】
内巻き式の消火栓装置は、装置内部にホース収納部を備え、そのホース収納部内に外側から中心側に向けて順次消火用ホースを巻き付けて収納できるようになっており、そのホース収納部には、消火用ホースをホース収納部から引き出すことができるように、また消火用ホースをホース収納部に収納することができるように、前部に開口部が設けられている。
【０００５】
一般に、内巻き式の消火栓装置には、消火用ホースを消火水が供給された状態で引き出す際に、消火用ホースがその重みや消火水の圧力等によって強い勢いでホース収納部から出てくるために、必要以上にホース収納部から外部に出てしまうという問題がある。
【０００６】
そこで、例えば、特開２００７−３３０７１３号公報（特許文献１）に記載の消火栓装置は、ホース収納部の開口部の中に消火用ホースが出てくる際にそれに摩擦抵抗を与えるホースガイドを備え、消火用ホースがホース収納部から出てくる勢いを抑えることができるようになっている。
【先行技術文献】
【特許文献】
【０００７】
【特許文献１】特開２００７−３３０７１３号公報
【発明の概要】
【発明が解決しようとする課題】
【０００８】
しかしながら、前記特許文献１に記載のホースガイドのように、ホース収納部の開口部の中に消火用ホースに摩擦抵抗を与える部材を設ける場合、消火用ホースのホース収納部への収納の際に邪魔にならないようにする必要があり、その部材には着脱機構や移動機構等を設ける必要があり、構造が複雑なものとなってしまう。
【０００９】
この発明は、前記の事情に鑑み、簡単な構造によって、消火用ホースの引き出しの際に、消火用ホースがホース収納部から出てくる勢いを抑えることができる消火栓装置を得ることを目的とする。
【課題を解決するための手段】
【００１０】
この発明は、筐体内部のホース収納部に消火用ホースを内巻きに収納し、前記ホース収納部に前記消火用ホースが引き出される開口部を有する消火栓装置において、前記開口部は、その開口縁が摩擦係数の高い材料で形成又は被覆されていることを特徴とする消火栓装置である。
【００１１】
また、この発明は、前記ホース収納部は、その少なくとも内面が摩擦係数の高い材料で形成または被覆されていることを特徴とする消火栓装置である。
【００１２】
また、この発明は、前記ホース収納部の内面は、前記開口部に向けて傾斜している傾斜面であって、前記開口部から前記消火用ホースが引き出される際、前記消火用ホースが接触される傾斜面を含んでいることを特徴とする消火栓装置である。
【００１３】
また、この発明は、前記摩擦係数の高い材料がゴムであることを特徴とする消火栓装置である。
【００１４】
なお、この発明において、前記ゴムは、シリコンゴム、ネオプレンゴム、ブチルゴム系、ニトリルゴム系、ウレタンエラストマー、天然ゴム又はフッ素ゴムとすることができる。
【発明の効果】
【００１５】
この発明によれば、消火用ホースの引き出しの際、消火水が供給された状態の消火用ホースはホース収納部の開口部からその開口縁に当たりながら出てくるが、開口縁が摩擦係数の高い材料で形成又は被覆されていることで、その開口縁によってホース収納部から出てくる消火用ホースに摩擦抵抗を与えて、その勢いを抑えることができ、必要以上に消火用ホースがホース収納部から出てこないようにすることができる。
【００１６】
また、この発明によれば、前記のように、ホース収納部から出てくる消火用ホースに摩擦抵抗を与えて、その勢いを抑えることができるものであるが、前記従来例と異なり、ホース収納部へ消火用ホースを収納する際に、その邪魔になるような部材は設けられていないことから、そのような部材が設けられていれば必要となる着脱機構や移動機構等を設ける必要がない。
【００１７】
従って、この発明によれば、簡単な構造によって、消火用ホースの引き出しの際に、消火用ホースがホース収納部から出てくる勢いを抑えることができる。
【００１８】
また、この発明によれば、ホース収納部をその内面が摩擦係数の高い材料で形成または被覆されているものとすれば、ホース収納部の内面によっても、消火用ホースに摩擦抵抗を与えることができ、さらに消火用ホースがホース収納部から出てくる勢いを抑えることができる。
【００１９】
また、この発明によれば、ホース収納部の内面を、ホース開口部に向けて傾斜している傾斜面であって、ホース開口部から消火用ホースが引き出される際、消火用ホースが接触される傾斜面を含むものとすることで、その傾斜面によっても、消火用ホースに摩擦抵抗を与えることができ、さらに消火用ホースがホース収納部から出てくる勢いを抑えることができる。
【図面の簡単な説明】
【００２０】
【図１】この発明の消火栓装置の実施形態を示し、前傾扉を開けた状態における全体の斜視図である。
【図２】同上を示し、要部の正面図である。
【図３】同上を示し、図２のＡ−Ａ線断面図である。
【図４】同上の他の実施形態を示し、図３の断面図に相当する断面図である。
【図５】同上のさらに他の実施形態を示し、図４と同様、図３の断面図に相当する断面図である。
【発明を実施するための形態】
【００２１】
この発明の実施の形態を図１乃至５に基づき説明する。
【００２２】
消火栓装置１は、例えば道路のトンネル等に設置されるものである。また、この消火栓装置１は、先端にノズル４ａを有する消火用ホース４が内巻きに収納される所謂内巻き式のものである。
【００２３】
図１に示すように、消火栓装置１は、筐体２内に、先端にノズル４ａを有する消火用ホース４が内巻きに収納されるホース収納部５を備えており、また、図示は省略するが、消火用ホース４に消火水を供給するための消火栓弁や配管等も備えている。筐体２の前部には開口２ａが設けられており、開口２ａは前傾扉３によって開閉可能になっている。前傾扉３の裏面には消火栓弁の操作レバー６が設けられており、操作レバー６を開操作すれば、消火栓弁が開き、消火水が消火用ホース４に供給され、ノズル４ａから放出されるようになっている。なお、消火を行う際には、ノズル４ａを持った状態で操作レバー６を開操作して、消火栓弁を開いて消火水を消火用ホース４に供給した後、火災発生場所までノズル４ａを引っ張って行き消火を行う。
【００２４】
ホース収納部５は前部に開口部５ａを有しており、開口部５ａから消火用ホース４を外部に引き出したり、内部に収納したりすることができるようになっている。
【００２５】
そして、図２に詳細を示すように、ホース収納部５において、その開口部５ａの開口縁５ｂは摩擦係数の高い材料によって形成されたものとなっている。
【００２６】
ここで、前記の摩擦係数の高い材料としては、後記においても同様であるが、例えば、ゴムとすることができ、好ましくは、摩擦係数が高く、離型性がよいシリコンゴムとすることができ、次いで好ましくは、ネオプレンゴムとすることができ、さらには、その他のゴム、例えば、ブチルゴム系、ニトリルゴム系、ウレタンエラストマー、天然ゴム、フッ素ゴム等とすることもできる。
【００２７】
消火栓装置１は、前記のように、ホース収納部５の開口縁５ｂが摩擦係数の高い材料によって形成されていることで、消火水が供給された状態の消火用ホース４がホース収納部５から引き出される際に、消火用ホース４は、消火水の圧力によって、消火用ホースの内巻き径が広がるように真っ直ぐに伸びようとするため、ホース収納部５の内部にあっては、後述のホース収納部５の内面５ｅに押し付けられ、また、開口部５ａを通過するときは、開口縁５ｂに押し付けられる。このとき、図３に示すように、消火用ホース４は摩擦係数が高い材料で形成されている開口縁５ｂに当たりながら出てくるようになっており、その段階で消火用ホース４には摩擦抵抗が与えられて、その勢いが抑えられるようになっている。これにより、必要以上に消火用ホース４がホース収納部５から出てこないようにすることができる。
【００２８】
また、消火栓装置１は、前記のように、消火用ホース４に摩擦抵抗が与えられて、その勢いが抑えられるようになっているが、ホース収納部５の開口縁５ｂによって摩擦抵抗が与えられるものとしていることで、消火用ホース４に摩擦抵抗が与えられるようになっていながらも、消火用ホース４をホース収納部５へ収納するのに邪魔になるような部材はなく、そのような部材があれば必要となる着脱機構や移動機構等を設ける必要のないものとなっている。
【００２９】
ここで、本実施の形態においては、開口縁５ｂが摩擦係数の高い材料で形成されているものとしているが、開口縁５ｂを摩擦係数の高い材料によって被覆されたものとしてもよい。
【００３０】
なお、本実施の形態において、ホース収納部５は、具体的には、筐体２の上下に向かうように設けられた一対の棒状体５ｃと、一対の棒状体５ｃのそれぞれから筐体２の背面に向かうように設けられた略Ｌ字状の帯板５ｄと、筐体２の上面、下面及び背面からなるものとなっており、開口部５ａは一対の棒状体５ｃの間に形成され、開口部５ａの開口縁５ｂは一対の棒状体５ｃの対向する側部に形成されたものとなっている。
【００３１】
さらに、本実施の形態においては、ホース収納部５の開口縁５ｂを摩擦係数の高い材料によって形成したものとしているが、図４に示すように、ホース収納部５の内面５ｅを摩擦係数の高い材料によって被覆されたものとしてもよい。このようにすれば、消火用ホース４が、ホース収納部５から引き出される際に、消火用ホース４は、消火水の圧力によって、消火用ホース４の内巻き径が広がるように真っ直ぐ伸びようとして、消火用ホース４が内面５ｅに押し付けられるため、ホース収納部５の内面５ｅによっても、消火用ホース４に摩擦抵抗を与えることができ、消火用ホース４がホース収納部５から出てくる勢いをより抑えることができる。また、図５に示すように、ホース収納部５の内面５ｅを開口部５ｂに向けて傾斜する傾斜面５ｆであって、開口部５ｂから消火用ホース４が引き出される際、消火用ホース４が接触される傾斜面５ｆを含むものとしてもよい。このようにすれば、その傾斜面５ｆによっても、消火用ホース４に摩擦抵抗を与えることができ、消火用ホース４に摩擦抵抗を与える面の面積を大きくすることができるので、消火用ホース４がホース収納部５から出てくる勢いをさらにより抑えることができる。なお、図４及び図５の例において、摩擦係数の高い材料によって被覆されているホース収納部として帯板５ｄしか図示されていないが、ホース収納部５を構成する筐体２の上面及び下面も摩擦係数の高い材料によって被覆されている。また、筐体の背面も被覆するようにしても良い。
【００３２】
なお、図４及び図５の例は、ホース収納部５の内面５ｅ（傾斜面５ｆを含む）全体を摩擦係数の高い材料によって被覆されたものとしているが、部分的に摩擦係数の高い材料によって被覆されたものとしてもよく、また、ホース収納部５の全体を摩擦係数の高い材料によって被覆又は形成されたものとしてもよい。
【符号の説明】
【００３３】
１：消火栓装置        ２：筐体              ２ａ：開口
３：前傾扉            ４：消火用ホース      ４ａ：ノズル
５：ホース収納部      ５ａ：開口部          ５ｂ：開口縁
５ｃ：棒状体          ５ｄ：帯板            ５ｅ：内面
５ｆ：傾斜面          ６：操作レバー
【図１】
2011212073.tif 000003
【図２】
2011212073.tif 000004
【図３】
2011212073.tif 000005
【図４】
2011212073.tif 000006
【図５】
2011212073.tif 000007